(57)【要約】      （修正有）【課題】消化活動時などに着用する防火服用のズボンに使用する長さ調節を可能にした防火服用ズボンの腰ベルトを提供する。【解決手段】防火服用ズボン１１のウエストに対応させて長さの調節が可能な腰ベルト１０であって、中央調節ベルト説用の腰ベルト１０は、ズボンの腰回り後側部に位置する腰ベルト中央部分の長さのみを調節可能とした中央調節ベルトと、中央調節ベルトの左，右端部にそれぞれ取り付けられた２個の連結環に連結され、一端部１５ａがズボンの前側部１１ｂに縫着されると共に、他端１５ｂが連結環１４ａ，１４ｂの開口部を貫通して前側部１１ｂに折り返されるようにした一対の左，右締付用ベルト１５，１５とからなり、締付用ベルトの各端部の対応面には面ファスナーなどの結合部材１７が設けられた構成とした。【選択図】図３
0003100764.tif 000002
【実用新案登録請求の範囲】
【請求項１】
防火服用ズボンのウエスト長さに対応させて調節可能とした腰ベルトであって、前記調節用の腰ベルトは、前記ズボンの腰回り後側部に位置する前記腰ベルトの中央部分の長さのみを調節可能とした中央調節ベルトと、前記中央調節ベルトの左，右端部にそれぞれ取り付けられるようにした２個の連結環に連結され、一端部がズボン前側部に縫着されると共に、他端部が前記連結環の開口部を貫通して前側部に折り返されるようした一対の左，右締付用ベルトとからなり、前記締付用ベルトの各端部の表面には面ファスナーなどの結合部材が設けられていることを特徴とする防火服用ズボンの腰ベルト。
【考案の詳細な説明】
【技術分野】
【０００１】
この考案は、消防隊員などが一般火災の消火活動時などに着用する防火服におけるズボンのウエスト部に装着され、ウエストサイズに合わせてウエスト径の調節を可能にした防火服用ズボンの腰ベルトに関するものである。
【背景技術】
【０００２】
従来、図７に示すように防火服用ズボンに装着されている腰ベルト１は、強度が大きい織物などの平ベルトによって構成されており、連続する１本の腰ベルト１の中央部２をズボン３のウエスト後側部３ａに縫着し、左，右に連続するベルトの先端部１ａ，１ａは、ウエストの左，右側部３ｂ，３ｂに設けた位置決め用通しループ部４，４を通過させてそれぞれズボン３の前側部３ｃ，３ｃに巻き回すと共に、腰ベルトの左，右先端部１ａ，１ｂには、２個の前，後Ｄ型環５ａ，５ｂを設け、このＤ型環５ａ，５ｂにズボン３の前側部３ｃ，３ｃに対称に取り付けた締め付けベルト６，６の先端部を前，後Ｄ型環５ａ，５ｂに前方から後方に通して前方に折り返し、後Ｄ型環５ｂの外周を迂回させ、前Ｄ型環５ａに再び通して前方に引き出すことで、着用者のウエスト部のほぼ全周を巻き回して締め付け係止が可能にしてある。
【考案の開示】
【考案が解決しようとする課題】
【０００３】
しかるに、腰ベルト１の左，右先端部１ａ，１ａをズボン３の前側部３ｃで左右同時に締め上げてベルト３に嵌めた左，右Ｄ型環５ａ，５ｂによって緊弛可能に保持する方式のベルト３にあっては、個人貸与である防火服用ズボン３のウエストサイズを着用者のウエストにあわせて仕上げたズボンである場合は、腰ベルト１の左，右先端部１ａ，１ａを持って左右同時に締め付けても締付け寸法の長さが少なく締付けたときにさほどの違和感を持つことなく締め付けることが可能であるが、防火服用のズボンを隊員同士が共同使用する場合には、着用者のウエストとズボンのウエスト寸法に極端な差が生じる場合がある。このような状態ではズボン３の着用時に着用者が腰ベルトの左，右両先端部１ａ．１ａを同時に引っ張って締め付けを行なうと、ズボンの胴回り、特にズボン３の後身頃７や膝曲げ余裕部８などの絞りによる生地の余分部分が、着用者の前側部３ｃ，３ｃに寄せ集められる結果、消防服用ズボンにあっては、生地の剛性が比較的大きく且つ厚さが厚いため着用性が悪く、本来のズボンの機能性を損ねると共に、背中に酸素ボンベ、消火器等を背負う作業においては、特に作業性が悪いという問題点があった。
【０００４】
本考案は上記のような事情に鑑みてなされたもので、本考案の防火服用の腰ベルトは、ズボンの腰回り後側部に位置する前記腰ベルト中央部分の長さのみを調節可能とした中央調節ベルトを設けることで、着用者のウエストとズボンのウエスト寸法に極端な差が生じる場合であっても、ズボンの後側部分における余分なウエスト寸法部分は、前記中央調節ベルトによって予め調節し、両サイドの腰ベルトの締付けによってズボンの後側部分の余分な生地が前側部にすべて寄せ集められることのないようにし、ズボンの着用性及び作業における機能性を損なうことのない防火服用ズボンの腰ベルトを提供することを目的とする。
【課題を解決するための手段】
【０００５】
この考案は、防火服用ズボンの腰部に装着するウエスト長さに対応させて調節可能とした腰ベルトであって、前記調節用の腰ベルトは、前記ズボンの腰回り後側部に位置する前記腰ベルト中央部分の長さのみを調節可能とした中央調節ベルトと、前記中央調節ベルトの左，右端部にそれぞれ取り付けられた２個のＤ型連結環に連結され、一端部がズボンの前側部に縫着されると共に、他端部が前記連結環の開口部を貫通して前側部に折り返すようにした左右一対の締付用ベルトとからなり、前記締付用ベルトの各端部の表面に面ファスナーなどの結合部材を設けた構成としたものである。
【考案の効果】
【０００６】
この考案によれば、前記腰ベルトは、前記ズボンの腰回り後側部に位置する前記腰ベルト中央部分の長さのみを緊弛可能な調節環（コキ環）によってズボンのウエスト長さに対応する長さに調節可能とした中央調節ベルトによって、着用者のウエストとズボンのウエスト寸法に極端な差が生じる場合に、前記ズボンの腰回り後側部に位置する前記腰ベルト中央部分の長さを調節し、着用者のウエストサイズに前以って調節しておくことで、腰ベルトの締付け時に後身頃及び膝曲げ余裕部等の余分な生地がズボンの前側部にすべて寄せ集められることのないようにして、ズボンの着用性及び作業における機能性を損なうことのない防火服用ズボンの腰ベルトとすることができる。
【０００７】
また、腰ベルトの両側部及び前側部の最終締付けにおいても、中央調節ベルトの両端部に連結されたＤ型環を解して折り返された左，右締付ベルトの両先端部を引っ張ることで、ズボンの両側部及び前側部を締め付け、この状態で両先端部を各端部の表面に設けた表面ファスナー，ホック，フックなどの結合部材で固定できるので、締め付け操作が簡単になり、緊急を要する際の迅速な着用に優れた効果を発揮できる。
【考案を実施するための最良の形態】
【０００８】
以下、この発明の実施の形態について、図を参照して説明する。
【実施例】
【０００９】
図１は、本考案の消防用ズボンの腰ベルトの一実施例を示す腰ベルトの背面図、図２は同じく腰ベルトを上方より見た概略平面図、図３は同じく腰ベルトを消防服用のズボンに装着した状態の正面図、図４は同じく側面図、図５同じく背面図、図６は腰ベルトにおける中央調節ベルトの長さを短く調節した状態の上方より見た概略平面図である。
図中、１０は腰ベルトで、強度が大きい織物などの平ベルトによって構成されており、この腰ベルト１０は、ズボン１１の腰回り後側部１１ａに位置する前記腰ベルト１０中央部分の長さのみを調節環１２に前方から後方に通して緊弛可能に保持させた中央調節ベルト１３と、この中央調節ベルト１３の両端に配設された２個のＤ型連結環１４ａ，１４ａに連結された左，右一対の締付用ベルト１５，１５からなる。
【００１０】
前記左，右一対の締付用ベルト１５，１５の一端部１５ａ，１５ａは、それぞれズボン１１のウエスト前側部１１ｂに縫着され、他端部１５ｂ，１５ｂは、ズボン１１の左，右側部１１ｃ，１１ｃに設けた腰ベルト１０を位置決めする通しループ部１６，１６を通過させ、前記Ｄ型連結環１４ａ，１４ｂの開口を貫通させてそれぞれズボン１１の前側部１１ｂ，１１ｂに折り返し、ズボン１１の側部１１ｃ，１１ｃに巻き回して締め付けた後、締付用ベルト１５，１５の各端部１５ａ，１５ｂの各対応面に取り付けた面ファスナー，ホック，フック等の結合部材１７に結合可能としてある。
【００１１】
以上のように構成されたこの考案の消防服用の腰ベルトの使用方法について、以下に説明する。
図３〜図５は、腰ベルト１０を消防用のズボンに装着した図であって、前記腰ベルト１０の中央調節ベルト１３を消防服のズボン１１の腰部胴回りに設けた位置決めループ１８，１８に貫通配設する。次に、左，右の締付用ベルト１５，１５の一端部１５ａ，１５ａを図３に示すようにズボン１１の前側部１１ｂとなる左右前合わせ部の近傍に縫着する。そして、左，右の締付用ベルト１１の他端部１５ｂ，１５ｂを前記中央調節ベルト１３の両端にそれぞれ取り付けたＤ型連結環１４ａ１４ｂの開口に挿通して折り返し、各端部１５ａ，１５ｂの対応面に取り付けた結合部材である面ファスナー１７に結合することで、ズボンの締付けが完了する。
【００１２】
また、防火服用のズボンを共同使用するような場合で、着用者のウエストとズボンのウエスト寸法に極端な差が生じる場合にあっては、先ず中央調節ベルト１３を図６に示すようにベルト１３の重なり部分を多くとるように調節環１２を移動して中央調節ベルト１３の長さを短縮することで、左，右の締付用ベルト１５，１５の締め付け量が少なくて済み、ズボン１１の腰回り、特にズボン１１の後身頃１９及び膝曲げ余裕部２０などからの絞りによる余分生地の移動が阻止され、着用者の前側部１１ｂにサイズの異なることによる余分な生地が寄せ集められることがない。
【００１３】
さらに、着用者のウエストとズボン１１のウエスト寸法に差がない場合は、中央調節ベルト１３の重なり部分を少なくするように調節することで、左右の締付用ベルト１５，１５の締め付け量が少なくて済み、生地の剛性が比較的大きく且つ厚さが厚いズボン１１であっても迅速な着用が可能となる。
【００１４】
さらにまた、ズボンの非着用時には左，右締付用ベルト１５，１５の各端部１５ａ，１５ｂ同士を接合してある結合を引き剥がし締付用ベルト１５，１５の緊張を弛めることで、消防服用ズボンの脱衣を容易に行なうことができると共に、ズボンの着用時において、単に左，右締付用ベルト１５，１５の各端部１５ｂ，１５ｂを引っ張って締め付け、各端部同士の面ファスナーなどの結合部材１７に簡単に接合固定できるので、腰ベルトの締め付け動作が素早くできて好ましい。
【図面の簡単な説明】
【００１５】
【図１】本考案の消防用ズボンの腰ベルトの一実施例を示す腰ベルトの背面図、
【図２】図２は同じく腰ベルトを上方より見た概略平面図、
【図３】図３は同じく腰ベルトを消防服用のズボンに装着した状態の正面図、
【図４】図４は同じく側面図、
【図５】図５は同じく背面図、
【図６】図６は腰ベルトにおける中央調節ベルトの長さを短く調節した状態の上方より見た概略平面図、
【図７】従来の消防服用ズボンの腰ベルトの斜視図である。
【符号の説明】
【００１６】
１０    腰ベルト
１１    消防服用ズボン
１１ａ  後側部
１１ｂ  前側部
１１ｃ  左，右側部
１２    調節環
１３    中央調節ベルト
１４ａ，１４ｂ    前，後連結環
１５，１５    締付用ベルト
１５ａ，１５ａ    一端部
１５ｂ，１５ｂ    他端部
１６    ループ
１７    結合部材（面ファスナー）
【図１】
0003100764.tif 000003
【図２】
0003100764.tif 000004
【図３】
0003100764.tif 000005
【図４】
0003100764.tif 000006
【図５】
0003100764.tif 000007
【図６】
0003100764.tif 000008
【図７】
0003100764.tif 000009